(57)【要約】【課題】栽培ポットが差し込まれた形態の栽培パネルを適切に支持できる植物栽培設備を提供する。【解決手段】植物栽培設備であって、栽培パネル１は複数列に並んで設けられる複数の挿通孔８を有し、栽培ポット２が栽培パネル１の下面から突出した状態で挿通孔８に差し込まれるように構成され、栽培棚ｒは、栽培パネル１の搬出入が行われる方向である奥行方向に対して垂直な幅方向に延びる複数の幅方向部材５と、複数の幅方向部材５上に跨って架け渡された状態で奥行方向に沿って互いに並行して延び、栽培棚ｒに収容された栽培パネル１を下方から支持可能な複数本の長尺状のパネル支持部７とを有し、栽培パネル１は、栽培ポット２が幅方向部材５及びパネル支持部７と衝突せずに複数のパネル支持部７によって下方から支持された状態で奥行方向に移動できる。【選択図】図３
2019187362.tif 000002
【特許請求の範囲】
【請求項１】
栽培中の植物を保持する栽培パネルが設置される栽培棚を、鉛直方向に複数段配列して構成される棚構造体を備える植物栽培設備であって、
前記栽培パネルは、複数列に並んで設けられる複数の挿通孔を有し、栽培中の植物を保持する栽培ポットが、当該栽培パネルの下面から突出した状態で前記挿通孔に差し込まれるように構成され、
前記栽培棚は、当該栽培棚に対して前記栽培パネルの搬出入が行われる方向である奥行方向に対して垂直な幅方向に延びる複数の幅方向部材と、複数の前記幅方向部材上に跨って架け渡された状態で前記奥行方向に沿って互いに並行して延び、前記栽培棚に収容された前記栽培パネルを下方から支持可能な複数本の長尺状のパネル支持部とを有し、
前記栽培ポットが前記挿通孔に差し込まれた状態の前記栽培パネルは、前記栽培ポットが前記幅方向部材及び前記パネル支持部と衝突せずに、複数の前記パネル支持部によって下方から支持された状態で前記奥行方向に移動できるように構成されている植物栽培設備。
【請求項２】
前記パネル支持部は、長尺状の板が立設された状態で前記奥行方向に沿って延びる立設部分を有し、当該立設部分の頂部で前記栽培パネルを支持可能に構成されている請求項１に記載の植物栽培設備。
【請求項３】
前記幅方向部材の上面から前記パネル支持部の前記立設部分の頂部までの高さは、前記栽培パネルの下面からの前記栽培ポットの突出長さよりも長く設定される請求項２に記載の植物栽培設備。
【請求項４】
前記栽培ポットが前記挿通孔に差し込まれた前記栽培パネルが前記栽培棚に収容された状態にある場合、前記パネル支持部の前記立設部分は、複数列に並んで設けられる複数の前記挿通孔に差し込まれた複数の前記栽培ポットの列の間に位置するように構成されている請求項２又は３に記載の植物栽培設備。
【請求項５】
前記パネル支持部は、一部が前記立設部分となるＬ字型の垂直断面形状を有する板状体を有して構成される請求項２〜４の何れか一項に記載の植物栽培設備。
【請求項６】
前記棚構造体を構成する水平方向に延びる部材のうち、最下段の水平部材の少なくとも一部の下表面は耐衝撃性の部材で構成されている請求項１〜５の何れか一項に記載の植物栽培設備。
【請求項７】
前記棚構造体には車輪が装着されて移動可能に構成されている請求項１〜６の何れか一項に記載の植物栽培設備。
【発明の詳細な説明】
【技術分野】
【０００１】
本発明は、栽培中の植物を保持する栽培パネルが設置される栽培棚を、鉛直方向に複数段配列して構成される棚構造体を備える植物栽培設備に関する。
【背景技術】
【０００２】
特許文献１（特許第５８００６８０号公報）には、栽培中の植物を保持する植物保持体（苗箱６）が設置される栽培棚（棚部７）が鉛直方向に複数段配列される植物栽培設備が記載されている。具体的には、特許文献１に記載の植物栽培設備は、植物保持体（苗箱６）が載置される栽培棚（棚部７）を形成する長尺状の翼板（５）を有する。この翼板の載置部は、植物保持体の底面と略線接触状態で接触可能に構成される。そのため、翼板の載置部と植物保持体の底板の接触面積（接触抵抗）が小さくなり、栽培棚上における植物保持体のスライド移動がスムーズになることが期待できる。
【先行技術文献】
【特許文献】
【０００３】
【特許文献１】特許第５８００６８０号公報
【発明の概要】
【発明が解決しようとする課題】
【０００４】
栽培中の植物を保持する植物保持体の形態には、特許文献１に記載のような苗箱のような形態の他に、複数の挿通孔が複数列に並んで設けられた栽培パネルのそれらの挿通孔に対して、植物を保持する栽培ポットがその栽培パネルの下面から突出した状態で差し込まれた形態もある。
【０００５】
栽培パネルに栽培ポットが差し込まれた形態の植物保持体の場合、栽培パネルの下面から栽培ポットが突出して露出している。そのため、特許文献１のような翼板上に植物保持体を載置すると、植物保持体を搬出入する際に栽培ポットが翼板に接触してしまうという問題がある。そのため、栽培ポットが宙に浮いた状態で、栽培パネルのみを支持する必要がある。栽培パネルのみを支持する方法として栽培パネルの両端部を支持する方法が考えられるが、その場合、栽培パネルが栽培ポットや栽培パネル自身の重量により撓んでしまい、適切な支持を行えないという問題が発生する。
【０００６】
本発明は、上記の課題に鑑みてなされたものであり、その目的は、栽培ポットが差し込まれた形態の栽培パネルを適切に支持できる植物栽培設備を提供する点にある。
【課題を解決するための手段】
【０００７】
上記目的を達成するための本発明に係る植物栽培設備の特徴構成は、栽培中の植物を保持する栽培パネルが設置される栽培棚を、鉛直方向に複数段配列して構成される棚構造体を備える植物栽培設備であって、
前記栽培パネルは、複数列に並んで設けられる複数の挿通孔を有し、栽培中の植物を保持する栽培ポットが、当該栽培パネルの下面から突出した状態で前記挿通孔に差し込まれるように構成され、
前記栽培棚は、当該栽培棚に対して前記栽培パネルの搬出入が行われる方向である奥行方向に対して垂直な幅方向に延びる複数の幅方向部材と、複数の前記幅方向部材上に跨って架け渡された状態で前記奥行方向に沿って互いに並行して延び、前記栽培棚に収容された前記栽培パネルを下方から支持可能な複数本の長尺状のパネル支持部とを有し、
前記栽培ポットが前記挿通孔に差し込まれた状態の前記栽培パネルは、前記栽培ポットが前記幅方向部材及び前記パネル支持部と衝突せずに、複数の前記パネル支持部によって下方から支持された状態で前記奥行方向に移動できるように構成されている点にある。
【０００８】
上記特徴構成によれば、栽培棚において、栽培ポットが差し込まれた状態の栽培パネルは、奥行方向に沿って互いに並行して延びる複数本の長尺状のパネル支持部によって支持される。このとき、栽培棚において、栽培ポットが差し込まれた状態の栽培パネルは、栽培ポットが幅方向部材及びパネル支持部と衝突せずに、複数のパネル支持部によって下方から支持された状態で奥行方向に移動できる。つまり、栽培ポットが差し込まれた状態の栽培パネルは、幅方向の両端部で支持されるのではなく、幅方向部材上の複数箇所に設けられたパネル支持部によって複数箇所で支持されるため、撓みなどの問題が軽減される。
従って、栽培ポットが差し込まれた形態の栽培パネルを適切に支持できる植物栽培設備を提供できる。
【０００９】
本発明に係る植物栽培設備の別の特徴構成は、前記パネル支持部は、長尺状の板が立設された状態で前記奥行方向に沿って延びる立設部分を有し、当該立設部分の頂部で前記栽培パネルを支持可能に構成されている点にある。
【００１０】
上記特徴構成によれば、栽培パネルは、パネル支持部が有する、長尺状の板が立設された状態で奥行方向に延びる立設部分の頂部と接触した状態で支持される。つまり、パネル支持部と栽培パネルとの接触面積が小さくなる。その結果、栽培棚において、栽培パネルの搬出入及び移動がスムーズになる。
【００１１】
本発明に係る植物栽培設備の更に別の特徴構成は、前記幅方向部材の上面から前記パネル支持部の前記立設部分の頂部までの高さは、前記栽培パネルの下面からの前記栽培ポットの突出長さよりも長く設定される点にある。
【００１２】
上記特徴構成によれば、栽培パネルの下面から栽培ポットが突出しても、その突出長さは、幅方向部材の上面からパネル支持部の立設部分の頂部までの高さよりも短い。従って、栽培ポットの底部が幅方向部材の上面には接触しないことが確保される。
【００１３】
本発明に係る植物栽培設備の更に別の特徴構成は、前記栽培ポットが前記挿通孔に差し込まれた前記栽培パネルが前記栽培棚に収容された状態にある場合、前記パネル支持部の前記立設部分は、複数列に並んで設けられる複数の前記挿通孔に差し込まれた複数の前記栽培ポットの列の間に位置するように構成されている点にある。
【００１４】
上記特徴構成によれば、栽培パネルが前記栽培棚に収容された状態において、パネル支持部の立設部分が、栽培パネルで複数列に並んで設けられる複数の挿通孔に差し込まれた複数の栽培ポットの列の間に位置する。つまり、パネル支持部と栽培ポットの列とが共に奥行方向に沿って並行して延びる。その結果、栽培ポットが差し込まれた状態の栽培パネルは、栽培ポットがパネル支持部と衝突せずに、複数のパネル支持部によって下方から支持された状態で奥行方向に移動できる。加えて、パネル支持部が、複数の栽培ポットの列の間に位置した状態で栽培パネルを下方から支持するので、栽培パネルの撓みなどの問題が軽減される。
【００１５】
本発明に係る植物栽培設備の更に別の特徴構成は、前記パネル支持部は、一部が前記立設部分となるＬ字型の垂直断面形状を有する板状体を有して構成される点にある。
【００１６】
上記特徴構成によれば、Ｌ字型の垂直断面形状を有する板状体を用いてパネル支持部を構成し、その一部の立設部分の頂部で栽培パネルを下方から支持できる。
【００１７】
本発明に係る植物栽培設備の更に別の特徴構成は、前記棚構造体を構成する水平方向に延びる部材のうち、最下段の水平部材の少なくとも一部の下表面は耐衝撃性の部材で構成されている点にある。
【００１８】
上記特徴構成によれば、下方向からの衝撃に対して棚構造体が壊れにくくなる。例えば、棚構造体をフォークリフトなどで下方向から持ち上げる場合、棚構造体の最下段の水平部材の下表面に対してフォークリフトのフォークによって衝撃が加わったとしても、棚構造体が損傷することを回避できる。
【００１９】
本発明に係る植物栽培設備の更に別の特徴構成は、前記棚構造体には車輪が装着されて移動可能に構成されている点にある。
【００２０】
上記特徴構成によれば、植物栽培設備を床面上で移動させることが容易になる。
【図面の簡単な説明】
【００２１】
【図１】植物栽培設備の斜視図である。
【図２】植物栽培設備を正面から見た図である。
【図３】栽培棚の構造を示す正面図である。
【図４】栽培棚の構造を示す斜視図である。
【発明を実施するための形態】
【００２２】
以下に図面を参照して本発明の実施形態に係る植物栽培設備について説明する。
図１は植物栽培設備の斜視図であり、図２は植物栽培設備を正面から見た図である。また、図３は栽培棚ｒの構造を示す正面図であり、図４は栽培棚ｒの構造を示す斜視図である。図示するように、植物栽培設備は、栽培中の植物を保持する栽培パネル１が設置される栽培棚ｒを、鉛直方向に複数段配列して構成される棚構造体Ｒを備える。この植物栽培設備は、播種工程が行われた後、植物が発芽し、例えば双葉が現れる緑化工程の頃まで利用される。その後、栽培パネル１がこの植物栽培設備の各栽培棚ｒから搬出されて、他の栽培設備に搬入される。
【００２３】
棚構造体Ｒは、鉛直方向に延びる複数本の鉛直部材ｖと、水平方向に延びる複数本の水平部材ｈとを組み合わせて構成される。本実施形態では、鉛直部材ｖ及び水平部材ｈは共に管状の部材であり、それらの管状の部材を継手部材を用いて連結して組み合わせることで、格子状の棚構造体Ｒが構成される。鉛直部材ｖ及び水平部材ｈは、例えば樹脂製の管や金属製の管などで構成される。また、それらの管の表面に塗膜や被覆層などが形成されていてもよい。
【００２４】
棚構造体Ｒを構成する水平部材ｈは、奥行方向に沿って互いに並行して延びる複数の奥行方向部材４と、幅方向に沿って互いに並行して延びる複数の幅方向部材５とで構成される。奥行方向は、栽培棚ｒに対して栽培パネル１の搬出入が行われる方向であり、幅方向は、奥行方向に対して垂直な方向である。
【００２５】
棚構造体Ｒを構成する複数の鉛直部材ｖは、鉛直方向に沿って互いに並行して延びる。そのうち、棚構造体Ｒを構成する４本の鉛直部材ｖには車輪３が設けられる。これにより植物栽培設備を床面上で移動させることが容易になる。例えば、播種された後、植物が発芽するまではこの植物栽培設備を発芽室等に設置しておき、その後、植物栽培設備を緑化室へ移動させて緑化工程を行うというように利用される。
【００２６】
棚構造体Ｒを構成する水平方向に延びる部材のうち、最下段の水平部材ｈの少なくとも一部の下表面は耐衝撃性を有する耐衝撃性部材６で構成されている。本実施形態では、棚構造体Ｒの最下段の水平部材ｈのうち、幅方向部材５の一部に耐衝撃性部材６が用いられている。例えば、耐衝撃性部材６は、幅方向部材５の外周面を覆う金属製のカバーや樹脂のカバーなどで構成される。或いは、幅方向部材５自体が耐衝撃性部材６となっていてもよい。この構成を採用することで、下方向からの衝撃に対して棚構造体Ｒが壊れにくくなる。例えば、棚構造体Ｒをフォークリフトなどで下方向から持ち上げる場合、棚構造体Ｒの最下段の水平部材ｈの下表面に対してフォークリフトのフォークによって衝撃が加わったとしても、棚構造体Ｒが損傷することを回避できる。
【００２７】
栽培棚ｒは、その栽培棚ｒに対して栽培パネル１の搬出入が行われる方向である奥行方向に対して垂直な幅方向に延びる複数の幅方向部材５と、複数の幅方向部材５上に跨って架け渡された状態で奥行方向に沿って互いに並行して延び、栽培棚ｒに収容された栽培パネル１を下方から支持可能な複数本の長尺状のパネル支持部７とを有する。
【００２８】
栽培パネル１は、複数列に並んで設けられる複数の挿通孔８を有する。そして、栽培パネル１は、栽培中の植物を保持する栽培ポット２が、その栽培パネル１の下面から突出した状態で挿通孔８に差し込まれるように構成される。栽培ポット２は内部に培地（図示せず）を収容し、その培地で植物の種が保持される。培地としては、例えばポリウレタン等の樹脂で形成されたウレタン培地等、保水性を有する培地を使用できる。
【００２９】
栽培棚ｒにおいて、栽培パネル１は、幅方向部材５上の複数箇所に設けられたパネル支持部７によって複数箇所で支持されるため、撓みなどの問題が軽減される。加えて、パネル支持部７は、長尺状の板が立設された状態で奥行方向に沿って延びる立設部分７ａを有し、当該立設部分７ａの頂部７ｂで栽培パネル１を支持可能に構成されている。従って、栽培ポット２が挿通孔８に差し込まれた状態の栽培パネル１は、栽培ポット２が幅方向部材５及びパネル支持部７と衝突せずに、複数のパネル支持部７によって下方から支持された状態で奥行方向に移動できる。
【００３０】
本実施形態では、パネル支持部７は、一部が立設部分７ａとなり、他部が基底部分７ｃとなるＬ字型の垂直断面形状を有する板状体を有して構成される。そして、パネル支持部７の基底部分７ｃが幅方向部材５に固定される。パネル支持部７を幅方向部材５に固定する方法は適宜設定できる。例えば、パネル支持部７と幅方向部材５とを嵌め合わせることで両者を固定する方法や、パネル支持部７と幅方向部材５とを接着や溶接することで両者を固定する方法など様々な方法を利用できる。
【００３１】
本実施形態では、栽培パネル１は、パネル支持部７が有する、長尺状の板が立設された状態で奥行方向に延びる立設部分７ａの頂部７ｂと接触した状態、即ち線接触の状態で支持されることで、パネル支持部７と栽培パネル１との接触面積が小さくなる。その結果、栽培棚ｒにおいて、栽培パネル１の搬出入及び移動がスムーズになる。
【００３２】
幅方向部材５の上面からパネル支持部７の立設部分７ａの頂部７ｂまでの高さ：Ｌ２は、栽培パネル１の下面からの栽培ポット２の突出長さ：Ｌ１よりも長く設定される。このように、栽培パネル１の下面から栽培ポット２が突出しても、その突出長さ：Ｌ１は、幅方向部材５の上面からパネル支持部７の立設部分７ａの頂部７ｂまでの高さ：Ｌ２よりも短い。従って、栽培ポット２の底部が幅方向部材５の上面には接触しないことが確保される。
【００３３】
加えて、栽培ポット２が挿通孔８に差し込まれた栽培パネル１が栽培棚ｒに収容された状態にある場合、パネル支持部７の立設部分７ａは、複数列に並んで設けられる複数の挿通孔８に差し込まれた複数の栽培ポット２の列の間に位置するように構成されている。このように、栽培パネル１が栽培棚ｒに収容された状態において、パネル支持部７の立設部分７ａが、栽培パネル１で複数列に並んで設けられる複数の挿通孔８に差し込まれた複数の栽培ポット２の列の間に位置する。つまり、パネル支持部７と栽培ポット２の列とが共に奥行方向に沿って並行して延びる。その結果、栽培ポット２が差し込まれた状態の栽培パネル１は、栽培ポット２がパネル支持部７と衝突せずに、複数のパネル支持部７によって下方から支持された状態で奥行方向に移動できる。
【００３４】
また、栽培ポット２の列をほぼ等分するような位置で、パネル支持部７が栽培パネル１を支持している。例えば、図３及び図４に示す例では、栽培ポット２は７列に並んで栽培パネル１の挿通孔８に挿入されており、その７列の栽培ポット２を２列のグループ及び３列のグループ及び２列のグループに分割する位置に２つのパネル支持部７が設けられている。
【００３５】
＜別実施形態＞
＜１＞
上記実施形態では、植物栽培設備の構成について具体例を挙げて説明したが、その構成については適宜変更可能である。
例えば、棚構造体Ｒにおける栽培棚ｒの段数や棚構造体Ｒの奥行方向の長さ及び幅方向の長さなどは適宜変更可能である。
一つの栽培パネル１を２本のパネル支持部７で支持する例を記載したが、一つの栽培パネル１を３本以上のパネル支持部７で支持してもよい。
パネル支持部７がＬ字型の垂直断面形状を有する板状体を有して構成される場合について説明したが、立設部分７ａを有するのであれば他の構成であっても構わない。例えば、逆Ｔ字型の垂直断面形状を有するような構成であっても構わない。
栽培パネル１に設ける挿通孔８の数や配置は図示した例に限定されず、適宜変更可能である。
【００３６】
＜２＞
上記実施形態（別実施形態を含む、以下同じ）で開示される構成は、矛盾が生じない限り、他の実施形態で開示される構成と組み合わせて適用でき、また、本明細書において開示された実施形態は例示であって、本発明の実施形態はこれに限定されず、本発明の目的を逸脱しない範囲内で適宜改変できる。
【産業上の利用可能性】
【００３７】
本発明は、栽培ポットが差し込まれた形態の栽培パネルを適切に支持できる植物栽培設備に利用できる。
【符号の説明】
【００３８】
１  栽培パネル
２  栽培ポット
３  車輪
ｖ  鉛直部材
４  奥行方向部材（水平部材  ｈ）
５  幅方向部材（水平部材  ｈ）
６  耐衝撃性部材
７  パネル支持部
７ａ  立設部分
７ｂ  頂部
７ｃ  基底部分
８  挿通孔
Ｌ１  突出長さ（栽培パネルの下面からの栽培ポットの突出長さ）
Ｌ２  高さ（幅方向部材の上面からパネル支持部の立設部分の頂部までの高さ）
ｒ  栽培棚
Ｒ  棚構造体
【図１】
2019187362.tif 000003
【図２】
2019187362.tif 000004
【図３】
2019187362.tif 000005
【図４】
2019187362.tif 000006